(57)【特許請求の範囲】
【請求項１】
コンタクトと前記コンタクトを保持するインシュレータとを分離することができるコネクタにおいて、
前記インシュレータは、前記コンタクトを係止するための弾力性を有するランスと、ロックピースを受け入れる受入部とを有し、
前記ロックピースは、前記インシュレータ内に挿入され、かつ、前記ランスにスライド可能に保持され、
前記ロックピースを前記インシュレータに挿入することにより、前記ランスと前記コンタクトとが係止して、前記コンタクトが前記インシュレータから抜出不能となり、前記ロックピースを前記ランスから移動させることにより、前記ランスと前記コンタクトとの係止が解除されて、前記コンタクトが前記インシュレータから抜出可能となり、
前記インシュレータは、前記ロックピースを前記インシュレータから押し出すため押出部材が挿入される穴を有し、前記穴は、薄壁により塞がれ、
前記ロックピースの押し出しの際、前記押出部材により前記薄壁を突き破って前記ロックピースを押し出すことを特徴とするコンタクトが分離可能なコネクタ。
【請求項２】
前記コネクタと相手側コネクタとが嵌合した状態で、前記ロックピースをスライドさせることができることを特徴とする請求項１記載のコンタクトが分離可能なコネクタ。
【請求項３】
前記ロックピースは、相手側コネクタと嵌合する側の反対側から前記インシュレータ内に挿入されることを特徴とする請求項１記載のコンタクトが分離可能なコネクタ。
【請求項４】
前記ロックピースは、相手側コネクタとの嵌合側から前記コネクタに挿入され、前記相手側コネクタに前記ロックピースを受け入れる受入部が形成されていることを特徴とする請求項１記載のコンタクトが分離可能なコネクタ。
【請求項５】
前記ロックピースは、前記インシュレータに前記コネクタと相手側コネクタとの嵌合方向に直交する方向にスライド可能に保持され、かつ、前記ロックピースをスライドさせるアクチュエータと係合する係合部を有し、
前記アクチュエータを操作することにより、前記ロックピースをスライドさせて前記ランスから移動させることを特徴とする請求項１記載のコンタクトが分離可能なコネクタ。
【請求項６】
前記ロックピースは、前記相手側コネクタとの嵌合側から前記インシュレータに挿入され、前記アクチュエータは、前記相手側コネクタに設けられていることを特徴とする請求項５記載のコンタクトが分離可能なコネクタ。
【請求項７】
前記アクチュエータは、電気信号により制御されることを特徴とする請求項５又は６記載のコンタクトが分離可能なコネクタ。
【請求項８】
コンタクトと前記コンタクトを保持するインシュレータとを分離することができるコネクタにおいて、
前記インシュレータは、フロントインシュレータとリアインシュレータとを有し、
前記フロントインシュレータは、前記リアインシュレータに前記コネクタと相手側コネクタとの嵌合方向に直交する方向にスライド可能に保持され、かつ、前記コンタクトを係止するための弾力性を有するランスを有し、
ロックピースは、前記フロントインシュレータ内に挿入され、かつ、前記ランスにスライド可能に保持され、
前記ロックピースを前記フロントインシュレータに挿入することにより、前記ランスと前記コンタクトとが係止して、前記コンタクトが前記インシュレータから抜出不能となり、前記フロントインシュレータ及び前記ランスをスライドさせることにより、前記ランスと前記コンタクトとの係止が解除されて、前記コンタクトが前記インシュレータから抜出可能となることを特徴とするコンタクトが分離可能なコネクタ。
【請求項９】
前記リアインシュレータは、前記フロントインシュレータをスライドさせるための操作部材が挿入される穴を有し、前記穴は、薄壁により塞がれ、
前記フロントインシュレータのスライドの際、前記操作部材により前記薄壁を突き破って前記フロントインシュレータをスライドさせることを特徴とする請求項８記載のコンタクトが分離可能なコネクタ。
【発明の詳細な説明】
【０００１】
【発明の属する技術分野】
本発明は、自動車搭載用等のコネクタに関し、特に、コンタクトとインシュレータとを分離することができるコネクタに関する。
【０００２】
【従来の技術】
従来の車両搭載用コネクタでは、コンタクトは、インシュレータに一体に固定されている。
【０００３】
また、コンタクトとコンタクトハウジングとを分解することができるコネクタは、特開平７−２８２８８４号公報、特開平１１−１８５８５７号公報及び特開平１１−１８５８５８号公報に記載されている。
【０００４】
【発明が解決しようとする課題】
前記従来の車両搭載用コネクタでは、コンタクトとインシュレータとを分離することができない。また、ハーネスの一部を切断して回収しても、工数を要するため、費用が高価となる。したがって、コンタクト及びハーネスの導線材料の回収が困難なため、リサイクル化を図り難い。
【０００５】
また、前記各公報記載の技術は、コンタクトとコンタクトハウジングとが分解可能なコネクタを対象とするものであり、しかも、構造が複雑で、部品点数が多く、更に、分解操作が煩雑である。
【０００６】
そこで、本発明は、前記従来の諸技術の欠点を改良し、構造が簡単で、部品点数が少なく、しかも、操作が簡単容易な、コンタクトをインシュレータから分離することができるコネクタを提供しようとするものである。
【０００７】
【課題を解決するための手段】
本発明は、前記課題を解決するため、次の手段を採用する。
【０００８】
１．コンタクトと前記コンタクトを保持するインシュレータとを分離することができるコネクタにおいて、前記インシュレータは、前記コンタクトを係止するための弾力性を有するランスと、ロックピースを受け入れる受入部とを有し、前記ロックピースは、前記インシュレータ内に挿入され、かつ、前記ランスにスライド可能に保持され、前記ロックピースを前記インシュレータに挿入することにより、前記ランスと前記コンタクトとが係止して、前記コンタクトが前記インシュレータから抜出不能となり、前記ロックピースを前記ランスから移動させることにより、前記ランスと前記コンタクトとの係止が解除されて、前記コンタクトが前記インシュレータから抜出可能となり、前記インシュレータは、前記ロックピースを前記インシュレータから押し出すため押出部材が挿入される穴を有し、前記穴は、薄壁により塞がれ、前記ロックピースの押し出しの際、前記押出部材により前記薄壁を突き破って前記ロックピースを押し出すコンタクトが分離可能なコネクタ。
【０００９】
２．前記コネクタと相手側コネクタとが嵌合した状態で、前記ロックピースをスライドさせることができる前記１記載のコンタクトが分離可能なコネクタ。
【００１０】
３．前記ロックピースは、相手側コネクタと嵌合する側の反対側から前記インシュレータ内に挿入される前記１記載のコンタクトが分離可能なコネクタ。
【００１１】
４．前記ロックピースは、相手側コネクタとの嵌合側から前記コネクタに挿入され、前記相手側コネクタに前記ロックピースを受け入れる受入部が形成されている前記１記載のコンタクトが分離可能なコネクタ。
【００１２】
５．前記ロックピースは、前記インシュレータに前記コネクタと相手側コネクタとの嵌合方向に直交する方向にスライド可能に保持され、かつ、前記ロックピースをスライドさせるアクチュエータと係合する係合部を有し、前記アクチュエータを操作することにより、前記ロックピースをスライドさせて前記ランスから移動させる前記１記載のコンタクトが分離可能なコネクタ。
【００１３】
６．前記ロックピースは、前記相手側コネクタとの嵌合側から前記インシュレータに挿入され、前記アクチュエータは、前記相手側コネクタに設けられている前記５記載のコンタクトが分離可能なコネクタ。
【００１４】
７．前記アクチュエータは、電気信号により制御される前記５又は６記載のコンタクトが分離可能なコネクタ。
【００１５】
８．コンタクトと前記コンタクトを保持するインシュレータとを分離することができるコネクタにおいて、前記インシュレータは、フロントインシュレータとリアインシュレータとを有し、前記フロントインシュレータは、前記リアインシュレータに前記コネクタと相手側コネクタとの嵌合方向に直交する方向にスライド可能に保持され、かつ、前記コンタクトを係止するための弾力性を有するランスを有し、ロックピースは、前記フロントインシュレータ内に挿入され、かつ、前記ランスにスライド可能に保持され、前記ロックピースを前記フロントインシュレータに挿入することにより、前記ランスと前記コンタクトとが係止して、前記コンタクトが前記インシュレータから抜出不能となり、前記フロントインシュレータ及び前記ランスをスライドさせることにより、前記ランスと前記コンタクトとの係止が解除されて、前記コンタクトが前記インシュレータから抜出可能となるコンタクトが分離可能なコネクタ。
【００１６】
９．前記リアインシュレータは、前記フロントインシュレータをスライドさせるための操作部材が挿入される穴を有し、前記穴は、薄壁により塞がれ、前記フロントインシュレータのスライドの際、前記操作部材により前記薄壁を突き破って前記フロントインシュレータをスライドさせる前記８記載のコンタクトが分離可能なコネクタ。
【００１８】
【発明の実施の形態】
本発明のコンタクトが分離可能なコネクタの４つの実施の形態例について説明する。
【００１９】
まず、本発明の第１実施の形態例について図１〜図５を参照して説明する。
【００２０】
図１に示されるように、プラグコネクタ１は、インシュレータ２と、五対のコンタクト３と、ロックピース４と、ケーブル５と、防塵防水用パッキング６とから構成される。
【００２１】
インシュレータ２は、合成樹脂から一体に成形され、長方形の基板部２Ａと、基板部２Ａの一面の中央に直交するように形成された中央嵌合突出部２Ｂと、基板部２Ａの一面の中央に直交するように形成され、かつ、中央嵌合突出部２Ｂの内部において相互に接近するように（図４の矢印参照）弾性変形することができる五対のランス２Ｄと、基板部２Ａの一面の周囲に直交するように形成された周囲枠部２Ｆとから、断面山字状に構成される。中央嵌合突出部２Ｂ及び基板部２Ａの内側には、五対のコンタクト３が基板部２Ａの他面側から挿入され、整列して保持される。各コンタクト３の台形状の凹所３Ａと各ランス２Ｄの台形状の凸所２Ｅとが、係止している。各ランス２Ｄの先端は、中央嵌合突出部２Ｂの内側突起２Ｃに当接している。ロックピース４は、合成樹脂から製造され、図５（ａ）に示されるように、基部４Ａと、基部４Ａに整列して一体に成形された５本のくし歯部４Ｂとから構成される。ロックピース４は、基板部２Ａ及び中央嵌合突出部２Ｂに形成された受入穴２Ｇに受け入れられ、各くし歯部４Ｂは、各一対のランス２Ｄの間に挿入される。したがって、各コンタクト３の凹所３Ａと各ランス２Ｄの凸所２Ｅとの係止は、保持される。ロックピース４の基部４Ａには、ケーブル５の一端が固定されている。パッキング６は、ゴムから長方形の枠状に構成されて、インシュレータ２の周囲枠部２Ｆの内側に装着され、その２本の突条６Ａは、図３と図４に示されるように、レセプタクルコネクタ１１のインシュレータ１２の外周面に密接する。
【００２２】
図２に示されるように、レセプタクルコネクタ１１は、インシュレータ１２と、五対のコンタクト１３とから構成される。
【００２３】
インシュレータ１２は、合成樹脂から直方体状に一体に成形され、内部にプラグコネクタ１の中央嵌合突出部２Ｂを挿入するための空間部１２Ａが形成されている。各コンタクト１３は、Ｌ字状に構成され、整列してインシュレータ１２に保持され、各コンタクト１３の先端部は、空間部１２Ａ内に突出している。
【００２４】
図３はプラグコネクタ１とレセプタクルコネクタ１１とが嵌合した状態の拡大断面図である。各コンタクト１３の先端部は、各コンタクト３の先端部の穴３Ｂに挿入されている。
【００２５】
図４は、ケーブル５を引くことによって、ロックピース４の各くし歯部４Ｂを各一対のランス２Ｄの間から引き抜いた状態の拡大断面図である。この状態では、各一対のランス２Ｄは、矢印方向へ相互に接近するように移動可能である。したがって、各コンタクト３をインシュレータ２の外側方向へ引くと、各コンタクト３の凹所３Ａの斜面は、各ランス２Ｄの凸所２Ｅの斜面を押すため、各ランス２Ｄは、矢印方向へ弾性変形する。よって、各コンタクト３の凹所３Ａと各ランス２Ｄの凸所２Ｅとの係止は、解除されるので、各コンタクト３をインシュレータ２から抜出することができる。
【００２６】
次に、本発明の第２実施の形態例について図６〜図１０を参照して説明する。ただし、第１実施の形態例と相違する箇所を説明し、同様な箇所の説明を省略する。
【００２７】
図６に示されるように、プラグコネクタ１のインシュレータ２には、中央嵌合突出部２Ｂのフロント側に五対のランス２Ｄ及びロックピース４の挿入穴２Ｈを形成し、下部にロックピース４を押し出すための穴２Ｉを形成し、基板部２Ａに薄壁２Ｊを形成する。
【００２８】
図７に示されるように、レセプタクルコネクタ１１のインシュレータ１２には、ロックピース４の受入穴１２Ｂを形成する。
【００２９】
プラグコネクタ１とレセプタクルコネクタ１１とが嵌合した状態を示す図８において、図９に示されるように、ドライバ等の治具２１を手段として、薄壁２Ｊを突き破り、穴２Ｉを通過させてロックピース４を押す。すると、ロックピース４は、受入穴１２Ｂに押し込まれる。したがって、第１実施の形態例と同様に、各コンタクト３をインシュレータ２から抜出することができる。
【００３０】
続いて、本発明の第３実施の形態例について図１１〜図１６を参照して説明する。ただし、第２実施の形態例と相違する箇所を説明し、同様な箇所の説明を省略する。
【００３１】
第３実施の形態例は、アクチュエータ７を各コンタクト３の挿入抜出方向に対して直交する方向へスライドさせる点で、第２実施の形態例と相違する。図１１と図１６に示されるように、ロックピース４の基部４Ａの中央には、アクチュエータ７を挿入するための穴４Ｃを形成し、基板部２Ａにロックピース４をスライドさせるための空間部２Ｋを形成する。
【００３２】
図１２に示されるように、レセプタクルコネクタ１１のリア側には、アクチュエータ７をスライドさせるための空間部１２Ｃを形成し、アクチュエータ７を搭載する。図１６に示されるように、アクチュエータ７には、制御用の信号線７Ａが接続されている。
【００３３】
プラグコネクタ１とレセプタクルコネクタ１１とが嵌合した状態を示す図１３と図１４（ａ）において、アクチュエータ７を電気信号によって駆動すると、ロックピース４がスライドさせられ、各くし歯部４Ｂは各一対のランス２Ｄの間から脱出して空間部２Ｋ内に移動する。したがって、第２実施の形態例と同様に、各コンタクト３をインシュレータ２から抜出することができる。
【００３４】
更に、本発明の第４実施の形態例について図１７〜図２２を参照して説明する。ただし、第２実施の形態例と相違する箇所を説明し、同様な箇所の説明を省略する。
【００３５】
第４実施の形態例は、プラグコネクタ１の中央嵌合突出部をフロント中央嵌合突出部２Ｌとリア中央嵌合突出部２Ｍとに分割し、フロント中央嵌合突出部２Ｌ、各ランス２Ｄ及びロックピース４を各コンタクト３の挿入抜出方向に対して直交する方向へスライドさせる点で、第２実施の形態例と相違する。図１７に示されるように、リア中央嵌合突出部２Ｍには、フロント中央嵌合突出部２Ｌ、各ランス２Ｄ及びロックピース４をスライドさせるための空間部２Ｎを形成し、基板部２Ａには、薄壁２Ｐを形成する。フロント中央嵌合突出部２Ｌには、ロックピース４の挿入穴２Ｑを形成する。
【００３６】
プラグコネクタ１とレセプタクルコネクタ１１とが嵌合した状態を示す図１９と図２０（ａ）において、図２０（ｂ）に示されるように、ドライバ等の治具２１を手段として、薄壁２Ｐを突き破り、フロント中央嵌合突出部２Ｌを横方向へ押す。すると、各ランス２Ｄ及びロックピース４が空間部２Ｎ内でスライドするから、各コンタクト３と各ランス２Ｄとの係止は解除される。したがって、第２実施の形態例と同様に、各コンタクト３をインシュレータ２から抜出することができる。
【００３７】
【発明の効果】
以上の説明から明らかなように、本発明によれば、次の効果を奏することができる。
【００３８】
１．コネクタのインシュレータからコンタクトを分離することができるので、コンタクト及びハーネスの導線材料の回収が可能である。また、コネクタに使用されている材料のリサイクルも可能である。
【００３９】
２．構造が簡単で、部品点数が少なく、また、コストが安価である。
【００４０】
３．コンタクトをインシュレータから分離する操作が、簡単容易である。
【図面の簡単な説明】
【図１】本発明のコンタクトが分離可能なコネクタの第１実施の形態例におけるプラグコネクタの諸図であり、（ａ）は平面図、（ｂ）は正面図、（ｃ）は下面図、（ｄ）は側面図、（ｅ）は（ｃ）における線Ａ−Ａによる断面図を、それぞれ示す。
【図２】同第１実施の形態例におけるレセプタクルコネクタの諸図であり、（ａ）は平面図、（ｂ）は正面図、（ｃ）は下面図、（ｄ）は側面図を、それぞれ示す。
【図３】同第１実施の形態例におけるプラグコネクタとレセプタクルコネクタとが嵌合したときの断面図である。
【図４】図３の状態において、ロックピースを一対のランスの間から引き抜いた後の状態を示す断面図である。
【図５】同第１実施の形態例におけるプラグコネクタとレセプタクルコネクタとの嵌合前に、ロックピースをプラグコネクタのインシュレータに挿入する前の状態を示す斜視図である。
【図６】本発明の第２実施の形態例におけるプラグコネクタの諸図であり、（ａ）は平面図、（ｂ）は正面図、（ｃ）は下面図、（ｄ）は側面図、（ｅ）は（ｃ）における線Ｂ−Ｂによる断面図である。
【図７】同第２実施の形態例におけるレセプタクルコネクタの諸図であり、（ａ）は平面図、（ｂ）は正面図、（ｃ）は下面図、（ｄ）は側面図を、それぞれ示す。
【図８】同第２実施の形態例におけるプラグコネクタとレセプタクルコネクタとが嵌合したときの断面図である。
【図９】図８の状態において、ロックピースを一対のランスの間から押し出した後の状態を示す断面図である。
【図１０】同第２実施の形態例におけるプラグコネクタとレセプタクルコネクタとの嵌合前に、ロックピースをプラグコネクタのインシュレータに挿入する前の状態を示す斜視図である。
【図１１】本発明の第３実施の形態例におけるプラグコネクタの諸図であり、（ａ）は平面図、（ｂ）は正面図、（ｃ）は下面図、（ｄ）は側面図、（ｅ）は線Ｃ−Ｃによる断面図、（ｆ）は線Ｄ−Ｄによる断面図、（ｇ）は線Ｅ−Ｅによる断面図を、それぞれ示す。
【図１２】同第３実施の形態例におけるレセプタクルコネクタの諸図であり、（ａ）は平面図、（ｂ）は正面図、（ｃ）は下面図、（ｄ）は側面図を、それぞれ示す。
【図１３】同第３実施の形態例におけるプラグコネクタとレセプタクルコネクタとが嵌合したときの断面図である。
【図１４】図１３の状態において、（ａ）はロックピースをスライドさせる前の状態の断面図、（ｂ）はロックピースをスライドさせた後の状態の断面図を、それぞれ示す。
【図１５】同１３の状態において、ロックピースを一対のランスの間から引き抜いた後の状態を示す断面図である。
【図１６】同第３実施の形態例におけるプラグコネクタとレセプタクルコネクタとの嵌合前に、ロックピースをプラグコネクタのインシュレータに挿入する前の状態を示す斜視図である。
【図１７】本発明の第４実施の形態例におけるプラグコネクタの諸図であり、（ａ）は平面図、（ｂ）は正面図、（ｃ）は下面図、（ｄ）は側面図、（ｅ）は（ｃ）における線Ｆ−Ｆによる断面図、（ｆ）は（ｃ）における線Ｇ−Ｇによる断面図、（ｇ）は（ｃ）における線Ｈ−Ｈによる断面図を、それぞれ示す。
【図１８】同第４実施の形態例におけるレセプタクルコネクタの諸図であり、（ａ）は平面図、（ｂ）は正面図、（ｃ）は下面図、（ｄ）は側面図を、それぞれ示す。
【図１９】同第４実施の形態例におけるプラグコネクタとレセプタクルコネクタとが嵌合したときの断面図である。
【図２０】図１９の状態において、（ａ）はフロント中央嵌合突出部等をスライドさせる前の状態の断面図、（ｂ）はフロント中央嵌合突出部等をスライドさせた後の状態の断面図を、それぞれ示す。
【図２１】同１９の状態において、一対のランス等を一対のコンタクトの間からスライドさせた後の状態を示す断面図である。
【図２２】同第４実施の形態例におけるプラグコネクタとレセプタクルコネクタとの嵌合前に、ロックピースをプラグコネクタのインシュレータに挿入する前の状態を示す斜視図である。
【符号の説明】
１    プラグコネクタ
２    インシュレータ
２Ａ    基板部
２Ｂ    中央嵌合突出部
２Ｃ    内側突起
２Ｄ    ランス
２Ｅ    凸所
２Ｆ    周囲枠部
２Ｇ    受入穴
２Ｈ    挿入穴
２Ｉ    穴
２Ｊ    薄壁
２Ｋ    空間部
２Ｌ    フロント中央嵌合突出部
２Ｍ    リア中央嵌合突出部
２Ｎ    空間部
２Ｐ    薄壁
２Ｑ    挿入穴
３    コンタクト
３Ａ    凹所
３Ｂ    穴
４    ロックピース
４Ａ    基部
４Ｂ    くし歯部
４Ｃ    穴
５    ケーブル
６    パッキング
６Ａ    突条
７    アクチュエータ
７Ａ    信号線
１１    レセプタクルコネクタ
１２    インシュレータ
１２Ａ    空間部
１２Ｂ    受入穴
１２Ｃ    空間部
１３    コンタクト
２１    治具
【図１】
0003746182.tif 000002
【図２】
0003746182.tif 000003
【図３】
0003746182.tif 000004
【図４】
0003746182.tif 000005
【図５】
0003746182.tif 000006
【図６】
0003746182.tif 000007
【図７】
0003746182.tif 000008
【図８】
0003746182.tif 000009
【図９】
0003746182.tif 000010
【図１０】
0003746182.tif 000011
【図１１】
0003746182.tif 000012
【図１２】
0003746182.tif 000013
【図１３】
0003746182.tif 000014
【図１４】
0003746182.tif 000015
【図１５】
0003746182.tif 000016
【図１６】
0003746182.tif 000017
【図１７】
0003746182.tif 000018
【図１８】
0003746182.tif 000019
【図１９】
0003746182.tif 000020
【図２０】
0003746182.tif 000021
【図２１】
0003746182.tif 000022
【図２２】
0003746182.tif 000023